(57)【特許請求の範囲】
【請求項１】
任意の利用者が選曲のための楽曲検索を行う際に、当該利用者の歌唱履歴データとして管理された楽曲と、各楽曲を歌唱した際の予想カロリー消費量とを対応付けて、表示部に表示可能な選曲対象楽曲のカロリー消費量表示システムであって、
ログイン利用者管理手段と、楽曲別カロリー消費量演算手段と、楽曲別カロリー消費量管理手段と、利用者別歌唱履歴管理手段と、選曲対象楽曲表示手段と、を備え、
前記ログイン利用者管理手段は、現にカラオケ演奏端末にログインしている利用者を利用者ＩＤに基づき特定して管理し、
前記楽曲別カロリー消費量演算手段は、任意の利用者が歌唱する任意の楽曲について、マイクロホンから入力された歌唱音量を予め定めた時間間隔でサンプリングして各サンプリング値を逐次積算し、当該積算値を予め定めたアルゴリズムに従ってカロリー消費量に換算し、
前記楽曲別カロリー消費量管理手段は、楽曲別カロリー消費量データベースにて、前記楽曲別カロリー消費量演算手段における演算結果に基づく予想カロリー消費量を、当該利用者の利用者ＩＤに紐付けして楽曲別に管理し、
前記利用者別歌唱履歴管理手段は、利用者が任意のカラオケ演奏端末にログインしている間に、自らの利用者ＩＤに紐付けして選曲し、歌唱履歴データとして記録されている楽曲を利用者別歌唱履歴データベースにて管理し、
前記選曲対象楽曲表示手段は、現にカラオケ演奏端末にログインしている任意の利用者が選曲を行う際に、前記利用者別歌唱履歴データベースにて当該利用者の歌唱履歴データとして管理されている楽曲について、前記楽曲別カロリー消費量データベースにて管理されている当該利用者の予想カロリー消費量を付帯して、表示部に一覧表示させる、
ことを特徴とする選曲対象楽曲のカロリー消費量表示システム。
【発明の詳細な説明】
【技術分野】
【０００１】
本発明は、選曲対象楽曲のカロリー消費量表示システムに関し、さらに詳しくは、任意の利用者が選曲のための楽曲検索を行う際に、当該利用者の歌唱履歴データとして管理された楽曲と、各楽曲を歌唱した際の予想カロリー消費量とを対応付けて、表示部に表示可能な選曲対象楽曲のカロリー消費量表示システムに関するものである。
【背景技術】
【０００２】
近年、運動不足やカロリーの過剰摂取により内臓脂肪が過剰蓄積されるメタボリックシンドロームが社会問題となっている。メタボリックシンドロームは、高血圧、心筋梗塞、脳疾患等の病気の原因となるため、適正なカロリー摂取量を維持すると共に、適度な運動を行うことが推奨されている。カラオケ装置を利用してカラオケ楽曲を歌唱すると、エネルギーが消費されることはよく知られており、カラオケ装置の利用によりメタボリックシンドロームに対処することが考えられる。この際、カラオケ装置の利用者にとって、カラオケ楽曲の歌唱により、どの程度のカロリーが消費されるかが重大な関心事となる。
【０００３】
従来、カラオケ楽曲の歌唱によるカロリー消費量を知らせることができるカラオケ装置に関する技術が開示されている（特許文献１参照）。この特許文献１に記載された技術は、マイクロホンから入力された歌唱音量を所定の時間間隔でサンプリングして各サンプル値を逐次積算し、この積算値を所定のアルゴリズムに従って歌唱による身体運動のカロリー消費量に換算して利用者に知らせるようになっている。
【０００４】
また、カラオケ楽曲を歌唱した際の身体運動のカロリー消費量を、当該カラオケ楽曲と対応付けて記録し、この記録データを健康管理やダイエットの指標とするカラオケ装置に関する技術が開示されている（特許文献２参照）。この特許文献２に記載された技術は、任意のカラオケ楽曲について歌唱によるカロリー消費量を算出し、当該カラオケ楽曲の楽曲ＩＤと算出したカロリー消費量とを対応付けて記録し、適時に一覧表示することができるようになっている。
【０００５】
【特許文献１】特許第３０８８７０１号公報
【特許文献２】特許第３４０８７６１号公報
【発明の開示】
【発明が解決しようとする課題】
【０００６】
上述したように、メタボリックシンドロームの対策として、カラオケ装置を利用した歌唱はとても有用であり、カラオケ装置の利用者が、メタボリックシンドロームの対策として歌唱を行う際に、どのようなカラオケ楽曲を選曲すると、どれだけのカロリーが消費できるかは、利用者にとって重大な関心事である。
【０００７】
この点、上述した特許文献１及び特許文献２に記載された技術は、歌唱後にカロリー消費量を報知するものであり、選曲時にカロリー消費量を知ることはできない。すなわち、従来の技術では、カラオケ装置の利用者が、メタボリックシンドロームの対策としてカロリー消費量に基づいて楽曲を選曲しようとする場合に、選曲と同時に楽曲毎のカロリー消費量を知ることはできず、予め楽曲毎のカロリー消費量を参照してメモし、あるいは暗記しておき、メモや記憶に基づいて楽曲を選曲しなければならなかった。
【０００８】
ところで、近年のカラオケ装置では、利用者が任意のカラオケ演奏端末にログインしている間に、自らの利用者ＩＤに紐付けして選曲した楽曲を歌唱履歴楽曲として管理し、選曲時に、これらの歌唱履歴楽曲を選択可能に一覧表示する技術が導入されている。
そこで、利用者による選曲時に、当該利用者の歌唱履歴楽曲と共に、各楽曲の予想カロリー消費量を報知することができれば、メタボリックシンドロームの対策として歌唱を行う際に、効率的に選曲を行うことができる。
【０００９】
本発明は、上述した事情に鑑み提案されたもので、利用者が選曲を行う際に、当該利用者の歌唱履歴楽曲毎に予想カロリー消費量を付帯させて一覧表示可能な選曲対象楽曲のカロリー消費量表示システムを提供することを目的とする。
【課題を解決するための手段】
【００１０】
本発明の選曲対象楽曲のカロリー消費量表示システムは、上述した目的を達成するために提案されたもので、以下の特徴点を有している。
すなわち、本発明の選曲対象楽曲のカロリー消費量表示システムは、任意の利用者が選曲のための楽曲検索を行う際に、当該利用者の歌唱履歴データとして管理された楽曲と、各楽曲を歌唱した際の予想カロリー消費量とを対応付けて、表示部に表示可能なシステムであって、ログイン利用者管理手段と、楽曲別カロリー消費量演算手段と、楽曲別カロリー消費量管理手段と、利用者別歌唱履歴管理手段と、選曲対象楽曲表示手段と、を備えたことを特徴としている。
【００１１】
本発明の選曲対象楽曲のカロリー消費量表示システムは、選曲時に、各楽曲について利用者を特定して求めた予想カロリー消費量を、当該利用者の歌唱履歴データに対応させて一覧表示するものである。この選曲対象楽曲のカロリー消費量表示システムでは、ログイン利用者管理手段は、現にカラオケ演奏端末にログインしている利用者を利用者ＩＤに基づき特定して管理するための手段として機能する。楽曲別カロリー消費量演算手段は、任意の利用者が歌唱する任意の楽曲について、マイクロホンから入力された歌唱音量を予め定めた時間間隔でサンプリングして各サンプリング値を逐次積算し、当該積算値を予め定めたアルゴリズムに従ってカロリー消費量に換算するための手段として機能する。
【００１２】
楽曲別カロリー消費量管理手段は、楽曲別カロリー消費量データベースにて、楽曲別カロリー消費量演算手段における演算結果に基づく予想カロリー消費量を、当該利用者の利用者ＩＤに紐付けして楽曲別に管理するための手段として機能する。利用者別歌唱履歴管理手段は、利用者が任意のカラオケ演奏端末にログインしている間に、自らの利用者ＩＤに紐付けして選曲し、歌唱履歴データとして記録されている楽曲を利用者別歌唱履歴データベースにて管理するための手段として機能する。選曲対象楽曲表示手段は、現にカラオケ演奏端末にログインしている任意の利用者が選曲を行う際に、利用者別歌唱履歴データベースにて当該利用者の歌唱履歴データとして管理されている楽曲について、楽曲別カロリー消費量データベースにて管理されている当該利用者の予想カロリー消費量を付帯して、表示部に一覧表示させるための手段として機能する。
【発明の効果】
【００１３】
本発明の選曲対象楽曲のカロリー消費量表示システムでは、利用者毎にカラオケ楽曲とカロリー消費量との関係を管理し、選曲を行う利用者の予想カロリー消費量として特定された値を、当該利用者の歌唱履歴楽曲に対応させて一覧表示するため、利用者毎の予想カロリー消費量に基づいて選曲を行うことが可能となる。
【００１４】
したがって、選曲を行う利用者は、どのカラオケ楽曲を選曲すると、どれだけのカロリーが消費できるかを事前に知ることができる。このため、利用者がメタボリックシンドロームの対策として歌唱を行う際に、効率的に選曲を行うことが可能となる。
【発明を実施するための最良の形態】
【００１５】
以下、図面を参照して本発明の選曲対象楽曲のカロリー消費量表示システムの実施形態を説明する。
本発明の実施形態に係る選曲対象楽曲のカロリー消費量表示システムは、任意の利用者が選曲のための楽曲検索を行う際に、当該利用者の歌唱履歴データとして管理された楽曲と、各楽曲を歌唱した際の予想カロリー消費量とを対応付けて、表示部に表示するものである。
【００１６】
＜カラオケシステムの概要＞
図１は、本発明の実施形態に係る選曲対象楽曲のカロリー消費量表示システムを含むカラオケシステムの構成を示す説明図である。また、図２は、カラオケ演奏端末の構成を示す説明図である。
【００１７】
本発明の実施形態に係る選曲対象楽曲のカロリー消費量表示システムを含むカラオケシステムは、図１に示すように、通信ネットワーク１２を介して相互に接続されたホスト装置１３と複数のカラオケ演奏端末１１とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せずに安価な通信網であるという点で、インターネットにより構成されるＶＰＮを利用することが好ましい。
【００１８】
＜ホスト装置＞
ホスト装置１３は、図１に示すように、制御手段３１、データ処理手段３２、送受信部３３、楽曲別カロリー消費量管理手段３４、利用者別歌唱履歴管理手段３５、楽曲別カロリー消費量データベース（ＤＢ）３６、利用者別歌唱履歴データベース（ＤＢ）３７、顧客データベース（ＤＢ）３８を備えている。これらの構成要素のうち、楽曲別カロリー消費量管理手段３４、楽曲別カロリー消費量データベース３６、利用者別歌唱履歴管理手段３５、利用者別歌唱履歴データベース３７が、カラオケ演奏端末１１の構成要素であるログイン利用者管理手段５３、楽曲別カロリー消費量管理手段５４、選曲対象楽曲表示手段２２ａと共に、選曲対象楽曲のカロリー消費量表示システムとして機能する。
【００１９】
送受信部３３は、各カラオケ演奏端末１１との間でデータの送受信を行うための手段であり、通信ネットワーク１２における通信方式の整合性を保つための通信回路やソフトウェアにより構成される。制御手段３１は、ホスト装置１３を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２０】
＜データ処理手段／顧客データベース＞
データ処理手段３２は、顧客データベース３８にアクセスして、データの抽出、変更、追加を処理するためのプログラムからなる。顧客データベース３８は、利用者毎に利用者情報が登録されたデータベースである。この顧客データベース３８は、利用者毎に、利用者ＩＤ、氏名、セカンドネーム（例えば愛称）、住所、電話番号、生年月日、性別、職業等が関連付けて構成されている。
【００２１】
＜楽曲別カロリー消費量管理手段／楽曲別カロリー消費量データベース＞
楽曲別カロリー消費量管理手段３４は、利用者を特定しないで予想カロリー消費量を管理する場合と、利用者を特定して予想カロリー消費量を管理する場合とで、その機能が異なる。
利用者を特定しないで予想カロリー消費量を管理する場合には、楽曲別カロリー消費量管理手段３４は、楽曲別カロリー消費量データベース３６にて、楽曲別カロリー消費量演算手段５４における演算結果に基づく予想カロリー消費量を楽曲別に管理するためのプログラムからなる。具体的には、楽曲別カロリー消費量演算手段５４により、任意の利用者が歌唱した任意の楽曲のカロリー消費量が演算されると、演算結果であるカロリー消費量の平均値、最大値、最小値の少なくとも１つを、任意の歌唱者が当該楽曲を歌唱する際の予想カロリー消費量として管理するようになっている。なお、平均値とは、すべてのデータの平均値であってもよいし、最新の歌唱から過去に遡って所定数のデータの平均値であってもよく、例えば、所定数が「１」の場合には、最新値が平均値となる（以下、同様）。
【００２２】
また、利用者を特定してカロリー消費量を管理する場合には、楽曲別カロリー消費量管理手段３４は、楽曲別カロリー消費量データベース３６にて、楽曲別カロリー消費量演算手段における演算結果に基づく予想カロリー消費量を、当該利用者の利用者ＩＤに紐付けして楽曲別に管理するためのプログラムからなる。具体的には、楽曲別カロリー消費量演算手段５４により、任意の利用者が歌唱した任意の楽曲のカロリー消費量が演算されると、演算結果であるカロリー消費量の平均値、最大値、最小値の少なくとも１つを、当該利用者が当該楽曲を歌唱する際の予想カロリー消費量として管理するようになっている。
【００２３】
楽曲別カロリー消費量データベース３６は、楽曲毎に演算した予想カロリー消費量が登録されたデータベースである。この楽曲別カロリー消費量データベース３６は、本発明の選曲対象楽曲のカロリー消費量表示システムの態様に応じて、各楽曲について利用者を特定せずに求めた予想カロリー消費量を登録する場合と、各楽曲について利用者を特定して求めた予想カロリー消費量を登録する場合とがある。
【００２４】
図３を参照して、楽曲別カロリー消費量データベースを説明する。図３は楽曲別カロリー消費量データベースの説明図であり、図３（ａ）は利用者を特定しないで予想カロリー消費量を管理する場合、図３（ｂ）は利用者を特定して予想カロリー消費量を管理する場合をそれぞれ示す。
【００２５】
利用者を特定しないで予想カロリー消費量を管理する場合の楽曲別カロリー消費量データベース３６は、図３（ａ）に示すように、任意の利用者が歌唱した、楽曲ＩＤと、各楽曲について演算されたカロリー消費量の平均値、最小値、最大値とが紐付けされて構築される。
利用者を特定して予想カロリー消費量を管理する場合の楽曲別カロリー消費量データベース３６は、図３（ｂ）に示すように、特定の利用者が歌唱した、楽曲ＩＤと、当該利用者の利用者ＩＤと、各楽曲について演算されたカロリー消費量の平均値、最小値、最大値とが紐付けされて構築される。
【００２６】
＜利用者別歌唱履歴管理手段＞
利用者別歌唱履歴管理手段３５は、利用者が任意のカラオケ演奏端末１１にログインしている間に、自らの利用者ＩＤに紐付けして選曲した楽曲（歌唱履歴楽曲）を、利用者別歌唱履歴データベース３７にて、当該歌唱者の歌唱履歴として管理するためのプログラムからなる。この際、管理対象に歌唱回数を含めてもよい。
利用者別歌唱履歴データベース３７は、利用者が任意のカラオケ演奏端末１１にログインしている間に、自らの利用者ＩＤに紐付けして選曲した楽曲（歌唱履歴楽曲）が格納されたデータベースである。
【００２７】
＜カラオケ演奏端末＞
本発明の実施形態に係る選曲対象楽曲のカロリー消費量表示システムを適用するカラオケ演奏端末１１は、図２に示すように、カラオケ本体２１、カラオケリモコン装置２２、ミキシングアンプ２３、スピーカ２４、マイクロホン２５、表示手段２６を備えている。カラオケ本体２１と表示手段２６とは、有線方式又は無線方式により接続されている。
【００２８】
＜カラオケ本体＞
カラオケ本体２１は、バス４１、ネットワーク送受信手段４２、中央制御手段４３、ＲＯＭ４４、ＲＡＭ４５、ＨＤＤ４６、ローカル送受信手段４７、予約管理手段４８、音楽再生制御手段４９、Ａ／Ｄコンバータ５０、映像再生制御手段５１、利用者ＩＤ取得手段５２、ログイン利用者管理手段５３、楽曲別カロリー消費量演算手段５４を備えている。
【００２９】
＜中央制御手段＞
中央制御手段４３は、カラオケ演奏端末１１を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００３０】
＜ＲＯＭ／ＲＡＭ＞
ＲＯＭ４４は、カラオケ演奏端末１１を構成する各機器を制御するためのアプリケーションプログラムデータや数値データを記憶するための機器で、例えば半導体メモリ等で構成される。また、ＲＡＭ４５は、アプリケーションプログラムや種々のデータを一時的に読み込む一時記憶領域として機能するための機器で、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａが格納されている。また、ＲＡＭ４５は、楽曲別カロリー消費量演算手段５４における演算結果を一時的に記憶するための楽曲別カロリー消費量演算結果一時記憶部４５ｂとしても機能する。
【００３１】
＜ＨＤＤ＞
ＨＤＤ４６には、楽曲データベース４６ａ及び映像データベース４６ｂが格納されている。また、ＨＤＤ４６に替えて、あるいはＨＤＤ４６と共に、データを書き替え可能なＤＶＤ等の大容量記憶装置を用いてもよい。
【００３２】
＜楽曲データベース／映像データベース＞
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース４６ｂは、演奏される楽曲に対応した背景映像を、当該楽曲の楽曲ＩＤに対応させた映像ファイルとして所定数格納したデータベースである。
【００３３】
＜楽曲別カロリー消費量演算手段＞
楽曲別カロリー消費量演算手段５４は、任意の楽曲について、マイクロホン２５から入力された歌唱音量を予め定めた時間間隔でサンプリングして各サンプリング値を逐次積算し、当該積算値を予め定めたアルゴリズムに従ってカロリー消費量に換算するためのプログラムからなる。
【００３４】
具体的には、特許第３０８８７０１号公報に記載されているように、カラオケデータの演奏処理中にマイクロホン２５から入力された歌唱音量のサンプル値を逐次積算する演算処理を行う。このようにサンプル値を積算することで、歌唱者の発声音量レベルを歌唱期間の全域にわたって時間積分したトータル量を求めることができる。さらに、演算処理により算出した積算値を、歌唱による身体運動のカロリー消費量に換算する処理を行う。例えば、算出した積算値にカロリー換算係数を掛け合わせる演算処理を行えばよい。この場合、カロリー換算係数は、単位発声音量当たりのカロリー消費量を表したもので、標準的な体格を有する人がごく普通に歌唱したときの発声音量に対するカロリー消費量を実際に測定して求めたものである。発声音量に対するカロリー消費量については、特開平５−２１２１３６号公報等に記載されているように、酸素消費量測定装置を用いて、歌唱により消費した酸素量を測定することにより算出すればよい。このような処理を行うことにより、歌唱者の発声トータル音量（積算値）に基づくカロリー消費量を算出することができる。
【００３５】
＜楽曲別カロリー消費量演算結果一時記憶部＞
楽曲別カロリー消費量演算結果一時記憶部４５ｂは、楽曲別カロリー消費量演算手段５４により、任意の楽曲のカロリー消費量が演算された場合に、演算結果を楽曲ＩＤと紐付けして一時的に記憶するための記憶部である。楽曲別カロリー消費量演算結果一時記憶部４５ｂに一時的に記憶された楽曲別のカロリー消費量は、カラオケ演奏端末１１がホスト装置１３と通信を行う際に、適宜なタイミングでホスト装置１３に送信され、楽曲別カロリー消費量管理手段３４により管理されて、楽曲別カロリー消費量データベース３６が構築される。なお、楽曲別カロリー消費量演算結果一時記憶部４５ｂに一時的に記憶されるデータは、楽曲別カロリー消費量演算手段５４及び楽曲別カロリー消費量管理手段３４の機能に応じて、利用者を特定しない場合と、利用者を特定する場合とがあり、特に利用者を特定する場合は、さらに利用者ＩＤを、楽曲ＩＤと演算結果に紐付けして記憶する。
【００３６】
＜利用者ＩＤ取得手段＞
利用者ＩＤ取得手段５２は、利用者がカラオケ演奏端末１１を利用する際に、利用者が所持するＩＤ媒体６１から利用者ＩＤを取得するための電子回路及びプログラムからなる。利用者ＩＤ取得手段５２で取得した利用者ＩＤは、ＲＡＭ４５に一時的に記憶され、ログイン利用者管理手段５３で管理される。ＩＤ媒体６１は、例えば、非接触型のＩＣカード、携帯電話、携帯情報端末等からなり、利用者ＩＤを記憶して、利用者ＩＤ取得手段５２との間でデータの送受信を行うことができるようになっている。
【００３７】
＜ログイン利用者管理手段＞
ログイン利用者管理手段５３は、現に当該カラオケ演奏端末１１にログインしている利用者を、利用者ＩＤに基づき特定して管理するためのプログラムからなる。すなわち、ログイン利用者管理手段５３では、利用者ＩＤ取得手段５２により利用者ＩＤが取得された場合に、この利用者ＩＤに基づいてカラオケ演奏端末１１にログインしている利用者を特定して管理する。
【００３８】
＜音楽再生制御手段＞
音楽再生制御手段４９は、楽曲ＩＤに基づいて楽曲データベース４６ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段４９から送出される演奏音声信号とをミキシングすると共に、アンプ機能により増幅してスピーカ２４より出力させるための装置である。なお、マイクロホン２５の数は１本に限られず、２本以上であってもよい。
【００３９】
また、マイクロホン２５は、Ａ／Ｄコンバータ５０を介してバス４１に接続されており、マイクロホン２５から入力された音声信号が楽曲別カロリー消費量演算手段５４における演算に使用される。
【００４０】
＜映像再生制御手段＞
映像再生制御手段５１は、カラオケ演奏中に、映像データベース４６ｂから抽出した映像データ、及び楽曲データベース４６ａから抽出した楽曲データのうちの歌詞テロップデータ（歌詞文字データ）を当該楽曲の演奏データに同期させて表示手段２６に出力するための電子回路である。さらに、映像再生制御手段５１は、カラオケリモコン装置２２を介した利用者からの操作指示による予約楽曲リストの表示等を表示手段２６に表示させる機能も有している。
【００４１】
＜表示手段＞
表示手段２６は、カラオケ演奏時の映像、歌詞テロップ等を表示するための装置で、例えば、ＣＲＴディスプレイ、液晶ディスプレイ、プラズマディスプレイ等により構成される。
【００４２】
＜予約管理手段＞
予約管理手段４８は、利用者によりカラオケリモコン装置２２における楽曲検索手段２２ｂの機能を用いて選曲され、ローカル送受信手段４７を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置２２の入出力用表示部及び表示手段２６の何れか一方、あるいは双方で行うことができる。
【００４３】
＜送受信手段＞
ローカル送受信手段４７は、カラオケリモコン装置２２との間でデータの送受信を行うための電子回路及びプログラムからなる。ネットワーク送受信手段４２は、通信ネットワーク１２を介してホスト装置１３との間でデータの送受信を行う際に、通信ネットワーク１２における通信方式の整合性を保つための電子回路及びプログラムからなる。
【００４４】
＜カラオケリモコン装置＞
カラオケリモコン装置２２は、ユーザインタフェース機能を備えており、カラオケ本体２１のローカル送受信手段４７に対して有線方式又は無線方式によりデータの送受信を行うようになっており、データの送受信を行うための回路基板及びプログラムと、選曲対象楽曲表示手段２２ａとして機能させるためのプログラムと、楽曲検索手段２２ｂとして機能させるためのプログラムと、楽曲索引データベース２２ｃと、一時記憶領域であるフラッシュメモリ（図示せず）とを備えている。さらに、カラオケリモコン装置２２には、ホスト装置１３の楽曲別カロリー消費量データベース３６より抽出された楽曲別カロリー消費量データ２２ｄと、ホスト装置１３の利用者別歌唱履歴データベース３７から抽出された利用者別歌唱履歴データ２２ｅとが格納される。この、楽曲別カロリー消費量データ２２ｄ及び利用者別歌唱履歴データ２２ｅは、カラオケ演奏端末１１がホスト装置１３と通信を行う際に、適宜なタイミングでホスト装置１３から受信したデータであり、カロリー消費量を付帯した選曲画面をカラオケリモコン装置２２の入出力用表示部に一覧表示する際に利用される。
【００４５】
なお、利用者を特定しないで予想カロリー消費量を管理する場合は、ログインした利用者の歌唱履歴楽曲に基づいて、ホスト装置１３の楽曲別カロリー消費量デーベース３６より、対応する楽曲のカロリー消費量データが抽出され、また、利用者を特定して予想カロリー消費量を管理する場合は、ログインした利用者の利用者ＩＤに基づいて、ホスト装置１３の楽曲別カロリー消費量デーベース３６より、対応する楽曲のカロリー消費量データが抽出される。
【００４６】
カラオケリモコン装置２２とローカル送受信手段４７との間で利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００４７】
＜楽曲索引データベース＞
楽曲検索手段２２ｂが参照する楽曲索引データベース２２ｃは、カラオケ演奏端末１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース２２ｃの内容は、カラオケ演奏端末１１がホスト装置１３と通信を行う際に、適宜なタイミングで最新のものに更新される。
【００４８】
＜選曲対象楽曲表示手段＞
選曲対象楽曲表示手段２２ａは、利用者を特定しないで予想カロリー消費量を管理する場合と、利用者を特定して予想カロリー消費量を管理する場合とで、その機能が異なる。
利用者を特定しないで予想カロリー消費量を管理する場合には、選曲対象楽曲表示手段２２ａは、現にカラオケ演奏端末１１にログインしている任意の利用者が選曲を行う際に、利用者別歌唱履歴データベース３７にて当該利用者の歌唱履歴データとして管理され、抽出された利用者別歌唱履歴データ２２ｅの楽曲について、楽曲別カロリー消費量データベース３６にて管理され、抽出された楽曲別カロリー消費量データ２２ｄにおける利用者を特定しない予想カロリー消費量を付帯して、カラオケリモコン装置２２の入出力用表示部に一覧表示させるためのプログラムからなる。
【００４９】
また、利用者を特定してカロリー消費量を管理する場合には、選曲対象楽曲表示手段２２ａは、現にカラオケ演奏端末１１にログインしている任意の利用者が選曲を行う際に、利用者別歌唱履歴データベース３７にて当該利用者の歌唱履歴データとして管理され、抽出された利用者別歌唱履歴データ２２ｅの楽曲について、楽曲別カロリー消費量データベース３６にて管理され、抽出された楽曲別カロリー消費量データ２２ｄにおける当該利用者の予想カロリー消費量を付帯して、カラオケリモコン装置２２の入出力用表示部に一覧表示させるためのプログラムからなる。
【００５０】
＜カロリー消費量付帯選曲画面＞
図４を参照して、カロリー消費量が付帯された選曲画面を説明する。図４は、予想カロリー消費量が付帯された選曲画面を示す模式図である。
本実施形態に係る選曲対象楽曲のカロリー消費量表示システムでは、利用者が選曲操作を行う際に、選曲対象楽曲表示手段２２ａの機能により、カラオケリモコン装置２２の入出力用表示部に予想カロリー消費量を付帯した選曲画面が表示される。この選曲画面では、図４に示すように、選曲操作を行う利用者を特定するための名前や顔写真等を表示すると共に、各歌唱履歴楽曲に対応させて、それぞれ予想カロリー消費量を表示する。この際、予想カロリー消費量が高い順に楽曲の表示を行うことにより、メタボリックシンドロームの対策として、カラオケシステムを利用した歌唱を行う利用者にとって最適な楽曲を容易に選曲することができる。
なお、選曲対象楽曲表示手段２２ａをカラオケリモコン装置２２に設けるのではなく、カラオケ本体２１に設けてもよいし、選曲画面を表示手段２６の表示部に表示してもよい。
【００５１】
＜他の実施形態＞
本発明の選曲対象楽曲のカロリー消費量表示システム及びその周辺装置を構成する機器や手段は上述したものに限定されず、選曲対象楽曲のカロリー消費量表示システム及びカラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５２】
また、カラオケ演奏端末１１をネットワークに接続せずに、スタンドアロンで動作させてもよい。この場合、ホスト装置１３の構成要素である楽曲別カロリー消費量管理手段３４、楽曲別カロリー消費量データベース３６、利用者別歌唱履歴管理手段３５、利用者別歌唱履歴データベース３７は、ローカルなカラオケ装置の構成要素となる。
【図面の簡単な説明】
【００５３】
【図１】本発明の実施形態に係る選曲対象楽曲のカロリー消費量表示システムを含むカラオケシステムの構成を示す説明図。
【図２】カラオケ演奏端末の構成を示す説明図。
【図３】楽曲別カロリー消費量データベースの説明図。
【図４】予想カロリー消費量が付帯された選曲画面を示す模式図。
【符号の説明】
【００５４】
１１  カラオケ演奏端末
１２  通信ネットワーク
１３  ホスト装置
２１  カラオケ本体
２２  カラオケリモコン装置
２２ａ  選曲対象楽曲表示手段
２２ｂ  楽曲検索手段
２２ｃ  楽曲索引データベース
２２ｄ  楽曲別カロリー消費量データ
２２ｅ  利用者別歌唱履歴データ
２３  ミキシングアンプ
２４  スピーカ
２５  マイクロホン
２６  表示手段
３１  制御手段
３２  データ処理手段
３３  送受信部
３４  楽曲別カロリー消費量管理手段
３５  利用者別歌唱履歴管理手段
３６  楽曲別カロリー消費量データベース
３７  利用者別歌唱履歴データベース
３８  顧客データベース
４１  バス
４２  ネットワーク送受信手段
４３  中央制御手段
４４  ＲＯＭ
４５  ＲＡＭ
４５ａ  予約待ち行列
４５ｂ  楽曲別カロリー消費量演算結果一時記憶部
４６  ＨＤＤ
４６ａ  楽曲データベース
４６ｂ  映像データベース
４７  ローカル送受信手段
４８  予約管理手段
４９  音楽再生制御手段
５０  Ａ／Ｄコンバータ
５１  映像再生制御手段
５２  利用者ＩＤ取得手段
５３  ログイン利用者管理手段
５４  楽曲別カロリー消費量演算手段
６１  ＩＤ媒体
【図１】
0005203786.tif 000002
【図２】
0005203786.tif 000003
【図３】
0005203786.tif 000004
【図４】
0005203786.tif 000005